(57)【特許請求の範囲】
【請求項１】
表示素子と、
前記表示素子を保持する表示素子保持部材と、
開口部が形成される外装部材と、
前記開口部に取り付けられる表示窓部材と、
前記表示素子と前記表示窓部材との間に配置される透光性弾性部材とを有し、
前記透光性弾性部材には、前記表示素子の表示面および前記表示窓部材の内面に密着する密着面領域と、前記密着面領域よりも外周側に位置する被押圧領域と、前記密着面領域と前記被押圧領域との間に位置する溝形状部とが形成され、
前記表示素子保持部材と前記外装部材との間に前記被押圧領域を配置し、前記表示素子保持部材および前記外装部材が前記被押圧領域を押圧することで、前記被押圧領域を圧縮変形させることを特徴とする電子機器。
【請求項２】
表示素子と、
前記表示素子を保持する表示素子保持部材と、
開口部が形成される外装部材と、
前記開口部に取り付けられる表示窓部材と、
前記表示素子と表示窓部材との間に配置される透光性弾性部材とを有し、
前記透光性弾性部材には、前記表示素子の表示面および前記表示窓部材の内面に密着する密着面領域と、前記密着面領域よりも外周側に位置し、前記密着面領域の厚みと異なる厚みを有する被押圧領域とが形成され、
前記表示素子保持部材と前記外装部材との間に前記被押圧領域を配置し、前記表示素子保持部材および前記外装部材が前記被押圧領域を押圧することで、前記被押圧領域を圧縮変形させることを特徴とする電子機器。
【発明の詳細な説明】
【技術分野】
【０００１】
本発明は、電子機器に設けられた表示素子の防滴・防塵構造に関する。
【背景技術】
【０００２】
デジタルカメラや携帯機器等の電子機器には、画像や各種情報を表示するための表示部を構成する液晶パネル等の表示素子が搭載されている。表示素子の表示面は、該表示面を保護する目的で、外装部材の一部を構成する表示窓部材によって覆われている。
【０００３】
特許文献１には、表示素子と表示窓部材との間に透明部材を配置し、該透明部材を表示素子の表示面と表示窓部材の内面とに密着させた電子機器が開示されている。これにより、表示素子の表示面や表示窓部材の内面と空気との界面で生じる光の反射を低減し、表示部の視認性を向上させることができる。
【０００４】
また、電子機器には、防滴・防塵構造が求められる。このような防滴・防塵構造としては、一般に、外装を構成する部材と内部の構造部材との間にＯリング等の弾性部材を挟む構成が採用される。ただし、防滴・防塵専用の弾性部材を用いると、部品点数やコストが増加する可能性がある。このため、特許文献２では、操作スイッチを構成する弾性部材の一部を表示部の防滴・防塵用パッキンとして兼用した電子機器が開示されている。
【特許文献１】特開２００３−２９５７８０号公報
【特許文献２】特開２００６−０４７４４８号公報
【発明の開示】
【発明が解決しようとする課題】
【０００５】
特許文献２の防滴・防塵構造は、電子機器における表示部が設けられた面に操作スイッチが設けられている場合には有効であるが、表示部単独での部品点数やコストを抑えた防滴・防塵構造も望まれている。
【０００６】
本発明は、表示部における部品点数やコストを抑え、表示部における良好な視認性と防滴・防塵構造を有する電子機器を提供する。
【課題を解決するための手段】
【０００７】
本発明の一側面しての電子機器は、表示素子と、表示素子を保持する表示素子保持部材と、開口部が形成される外装部材と、開口部に取り付けられる表示窓部材と、表示素子と前記表示窓部材との間に配置される透光性弾性部材とを有する。そして、透光性弾性部材には、表示素子の表示面および表示窓部材の内面に密着する密着面領域と、密着面領域よりも外周側に位置する被押圧領域と、密着面領域と被押圧領域との間に位置する溝形状部とが形成され、表示素子保持部材と外装部材との間に被押圧領域を配置し、表示素子保持部材および外装部材が被押圧領域を押圧することで、被押圧領域を圧縮変形させることを特徴とする。
本発明の他の側面としての電子機器は、表示素子と、表示素子を保持する表示素子保持部材と、開口部が形成される外装部材と、開口部に取り付けられる表示窓部材と、表示素子と表示窓部材との間に配置される透光性弾性部材とを有し、透光性弾性部材には、表示素子の表示面および表示窓部材の内面に密着する密着面領域と、密着面領域よりも外周側に位置し、密着面領域の厚みと異なる厚みを有する被押圧領域とが形成され、表示素子保持部材と外装部材との間に被押圧領域を配置し、表示素子保持部材および外装部材が被押圧領域を押圧することで、被押圧領域を圧縮変形させることを特徴とする。
【発明の効果】
【０００８】
本発明によれば、視認性を向上させるために表示素子と表示窓部材との間に配置された透光性弾性部材の外周側部分を防滴・防塵用の弾性部材として兼用するので、表示部単独で部品点数やコストを抑えた防滴・防塵構造を実現することができる。
【発明を実施するための最良の形態】
【０００９】
以下、本発明の好ましい実施例について図面を参照しながら説明する。
【実施例１】
【００１０】
図１及び図２には、本発明の実施例１である電子機器（撮像装置）の例としてのレンズ交換式一眼レフデジタルカメラ（以下、単にカメラという）の正面及び背面を示す。
【００１１】
図１に示すカメラ１００の正面は、正面外装部品１０１によって覆われている。カメラ１００の正面中央には、不図示の撮影レンズユニットが着脱可能に装着されるマウント機構１０２が設けられている。マウント機構１０２は、装着された撮影レンズユニットをロック保持するためのロック機構１０３を有する。
【００１２】
マウント機構１０２の内側には、電気的接点群１０４が設けられており、カメラ１００と撮影レンズユニットとの間での通信が可能となっている。さらに、マウント機構１０２の奥には、クイックリターンミラー１０５が配置されている。
【００１３】
クイックリターンミラー１０５の中央部はハーフミラーになっている。該クイックリターンミラー１０５が図に示すようにダウン位置に配置されている状態では、該ハーフミラー部によって撮影レンズユニットからの光束の一部を上方に反射し、他の一部を透過する。クイックリターンミラー１０５を透過した光束は、該クイックリターンミラー１０５の背後に設置された不図示のサブミラーによって下方に反射され、不図示のＡＦセンサに導かれる。
【００１４】
一方、クイックリターンミラー１０５で上方に反射された光束は、ファインダ光学系を構成する不図示のペンタプリズム及び後述する接眼レンズ１１２を介して撮影者の目に至る。
【００１５】
マウント機構１０２の近傍には、撮影レンズユニットマウント機構１０２から取り外す際に、ロック機構１０３によるロック保持を解除するためのロック解除ボタン１０６が設けられている。
【００１６】
カメラ１００の上部には、レリーズスイッチ１０７が設けられている。レリーズスイッチ１０７が半押し操作されると、測光・オートフォーカス（ＡＦ）等の撮影準備動作が開始される。また、レリーズスイッチ１０７が全押し操作されると、撮影動作が開始される。
【００１７】
また、レリーズスイッチ１０７の近傍には、メイン電子ダイヤル１０８が設けられている。メイン電子ダイヤル１０８が回転操作されることにより、シャッタースピードや絞り値等のパラメータを変更することができる。
【００１８】
さらにカメラ１００の上部には、モードダイヤル１０９が設けられている。モードダイヤル１０９が回転操作されることにより、撮影モードを変更することができる。
【００１９】
また、図２に示すカメラ１００の背面は、背面外装部材１１０により覆われている。背面外装部材１１０の一部には表示用開口部１１０ｃが形成されており、該表示用開口部１１０ｃの奥には、後述する表示素子が配置されている。表示素子は、後述するカメラ１００の表示部を構成する主要部品である。
【００２０】
表示用開口部１１０ｃは、透明な樹脂材料により形成された表示窓部材１１１によって塞がれている。これにより、表示素子の表示面が覆われ、外力から保護される。表示窓部材１１１の外周部分は、背面外装部品１１０における開口部１１０ｃの周辺部分の裏面にビス止めされている。表示窓部材１１１は、カメラ１００の外装部材の一部として機能する。
【００２１】
カメラ１００の背面上部には、前述した接眼レンズ１１２が配置されている。撮影者は、該接眼レンズ１１２を含むファインダ光学系を通して被写体を観察することができる。また、接眼レンズ１１２の近傍には、視度調整ダイヤル１１３が設けられている。視度調整ダイヤル１１３の回転操作により、ファインダ光学系の視度を撮影者の視力に合わせて調整することができる。
【００２２】
また、カメラ１００の背面下部には、電源のＯＮ／ＯＦＦを切り換えるための電源スイッチ１１４が設けられている。さらに、デジタルカメラ１００の背面には、サブ電子ダイヤル１１５が設けられている。サブ電子ダイヤル１１５が回転操作されることにより、各種メニューや露出補正値、絞り値等のパラメータを変更することができる。さらに、サブ電子ダイヤル１１５の中央には決定ボタン１１６が配置されており、これを操作することで変更された各種メニューやパラメータを確定させることができる。
【００２３】
その他、表示窓部材１１１の周辺には、様々な操作ボタンが配置されている。具体的には、各種メニューに入るためのメニューボタン１１７、カメラ１００の設定情報や撮影情報を表示させるための情報表示ボタン１１８、撮影情報や撮影画像を表示させる際に不要な表示をジャンプするためのジャンプボタン１１９が設けられている。また、記録媒体から読み出した撮影画像を表示させる再生ボタン１２０や、該撮影画像を記録媒体から消去するための消去ボタン１２１も設けられている。
【００２４】
図３Ａ、図３Ｂ、図４Ａ及び図４Ｂには、本実施例のカメラ１００に搭載された表示部の構成を示す。背面外装部品１１０は、表示部の周辺部分以外の部分を省略して示している。
【００２５】
表示部は、カメラ１００の外面側から順に、背面外装部品１１０に取り付けられた表示窓部材１１１、透明弾性部材（透光性弾性部材）１３０、表示素子１３１、及び表示素子保持部材１３２が積層されて構成されている。以下、これら構成部材が積層されている方向（例えば、表示素子１３１の表示面に垂直な方向）を積層方向という。
【００２６】
背面外装部品１１０には、前述したように表示用開口部１１０ｃが形成されており、その外周内面には、防滴構造を形成するための防滴リブ部１１０ａが備えられている。防滴リブ部１１０ａは、背面外装部材１１０における他の部分とは独立した枠形状の突起部として形成されている。
【００２７】
表示窓部材１１１の外周部分は、背面外装部品１１０における開口部１１０ｃの周辺部分の内面のうち、防滴リブ部１１０ａよりも内周側の部分にビス止めされている。１１１ａは表示窓部材１１１の四隅部分に形成された穴であり、１１０ｄは該穴１１１ａに挿入されたビスにより表示窓部材１１１を背面外装部材１１０にビス止めするために、背面外装部材１１０に形成されたビス穴を示している。また、図示はしないが、表示窓部材１１１の内面１１１ｂには、カメラ１００の外部から表示素子１３１の表示領域以外の部分が見えないようにするための視野制限部が印刷等により形成されている。
【００２８】
表示素子保持部材１３２は、表示素子１３１をその裏面側（表示面とは反対側）から保持する。表示装置保持部材１３２には、表示素子１３１の移動を阻止するように（位置決めするように）これを保持するための凹部１３２ｂと、該凹部１３２ｂよりも外周側に形成された防滴リブ部１３２ａとが形成されている。防滴リブ部１３２ａは、表示素子保持部材１３２の他の部分とは独立した枠形状の突起部として形成されている。
【００２９】
また、表示素子保持部材１３２には、背面外装部材１１０に設けられたスペーサ部１１０ｂにビス止めするためのビス止め部１３２ｃが形成されている。
【００３０】
表示素子１３１は、液晶パネル又は有機ＥＬ等の自発光素子により構成される。表示素子１３１は、画像や各種情報を表示する表示面１３１ａを有する。また、表示素子１３１は、液晶パネルを用いる場合には、該液晶パネルを背後から照明するバックライト（不図示）を有する。
【００３１】
透明弾性部材１３０は、これに接触する他の部材に対して密着する自己吸着性を有する。また、透明弾性部材１３０は、カメラ１００の外部から表示窓部材１１１を通して表示素子１３１に表示された画像や情報の観察を妨げない透光性（透明性）を有する。さらに、透明弾性部材１３０は、後述する防滴・防塵性能を発揮できる弾性を有する。透明弾性部材１３０を形成する材料の屈折率は、表示窓部材１１１及び表示素子１３１の表示面１３１ａに設けられた保護ガラスを形成する材料の屈折率に合わせて（同一又は同一とみなせる屈折率に）設定されている。
【００３２】
透明弾性部材１３０は、上記自己吸着性により表示窓部材１１１の内面１１１ｂに密着する表示窓密着面１３０ａと、表示素子１３１の表示面１３１ａに密着する表示素子密着面１３０ｂとを積層方向における互いに反対側の面として有する。表示窓密着面１３０ａ及び表示素子密着面１３０ｂはそれぞれ、表示窓部材１１１の内面１１１ｂのうち表示に必要な領域全体及び表示素子１３１の表示面１３１ａ全体に密着できるように、これらよりもひとまわり大きく形成されている。
【００３３】
上記のような屈折率を有する透明弾性部材１３０が表示窓部材１１１の内面１１１ｂと表示素子１３１の表示面１３１ａとに密着することで、カメラ１００の外部から入射する光のこれらの界面での反射を抑制できる。したがって、表示部の視認性を向上させることができる。
【００３４】
以下の説明において、透明弾性部材１３０におけるこれら表示窓密着面１３０ａ及び表示素子密着面１３０ｂが形成された領域を密着面領域という。
【００３５】
さらに、透明弾性部材１３０における密着面領域よりも外周側には、密着面領域に対して溝形状部１３０ｄによって隔てられた領域（外周側領域：以下、被押圧領域という）１３０ｃが形成されている。
【００３６】
図４Ｂに示すように、被押圧領域１３０ｃは、背面外装部材１１０に形成された防滴リブ部１１０ａと表示素子保持部材１３２に形成された防滴リブ部１３２ａとの間で積層方向に押圧されて弾性変形状態となっている。前述した自己吸着性も若干の弾性変形により実現されるものとも考えられるが、ここにいう被押圧領域１３０ｃの弾性変形は、密着面領域での弾性変形量よりも大きい。このことは、後述する他の実施例でも同じである。
【００３７】
被押圧領域１３０ｃは、透明弾性部材１３０における密着面領域の外周全体を囲むように形成されており、防滴リブ部１１０ａ，１３２ａもそれぞれ、開口部１１０ｃ及び表示素子１３１の外周全体を囲むように形成されている。そして、図４Ｂに示すような被押圧領域１３０ｃの弾性変形を伴う押圧も、防滴リブ部１１０ａ，１３２ａの全周で行われている。
【００３８】
背面外装部材１１０の防滴リブ部１１０ａと弾性変形状態の被押圧領域１３０ｃとの押圧密着によって、カメラ１００の外部から背面外装部材１１０と表示窓部材１１１間の隙間に侵入した水滴１４０や塵が、それ以上カメラ１００の内部に侵入するのを防止する。
【００３９】
また、表示素子保持部材１３２の防滴リブ１３２ａと透明弾性部材１３０の被押圧領域１３０ｃとの押圧密着によって、透明弾性部材１３０と表示素子保持部材１３２とにより囲まれて表示素子１３１を収容する空間を防滴・防塵空間として形成する。したがって、表示素子１３１に対しては二重の防滴・防塵構造を実現することができる。
【００４０】
なお、透明弾性部材１３０の表示窓密着面１３０ａが表示窓部材１１１の内面１１１ｂに密着することで、これらの間に水滴１４０等が侵入することも防止できる。
【００４１】
以上の構成により、本来視認性向上のために用いる透明弾性部材１３０を利用して、表示部における高い防滴・防塵性能を得ることができる。つまり、Ｏリング等の防滴・防塵専用の部品を用いることなく、表示部の防滴・防塵構造を実現できる。
【００４２】
ここで、本実施例では、被押圧領域１３０ｃが背面外装部材１１０の防滴リブ部１１０ａと表示素子保持部材１３２の防滴リブ部１３２ａとにより直接押圧されている場合について説明した。しかし、防滴リブ部１１０ａ，１３２ａと被押圧領域１３０ｃとの間に、防滴・防塵空間の形成を妨げない他の部材が介在していてもよい。このことは、後述する他の実施例でも同じである。
【００４３】
また、防滴・防塵性能を向上させるために、防滴リブ部１１０ａ，１３２ａにおける透明弾性部材１３０の被押圧領域１３０ｃに当接する面の表面粗さを、背面外装部材１１０や表示素子保持部材１３２の他の面よりも細かくしてもよい。
【００４４】
前述したように、表示窓部材１１１は、背面外装部材１１０に対して接着ではなくビスによって結合されている。これにより、表示窓部材１１１が外部から押されることで生じる外圧や、温度及び湿度変化によって透明弾性部材１３０が膨張することで生じる内圧によって、表示窓部材１１１が背面外装部材１１０から外れることを防ぐことができる。
【００４５】
また、表示窓部材１１１に形成された穴１１１ａには、ここに挿入されたビスの頭部が表示窓部材１１１の内面１１１ｂに対する透明弾性部材１３０の密着を妨げないように、座グリが形成されており、該穴１１１ａからビスの頭部が突出しないようにしている。これらのことは、後述する他の実施例においても同じである。
【００４６】
また、本実施例では、前述したように、透明弾性部材１３０における密着面領域（１３０ａ，１３０ｂ）と被押圧領域１３０ｃとの間には、溝形状部１３０ｄが形成されている。溝形状部１３０ｄは、密着面領域を囲むように全周にわたって、かつ表示窓密着面１３０ａの側と表示素子密着面１３０ｂの側の両側に形成されている。
【００４７】
溝形状部１３０ｂを設けることによって、被押圧領域１３０ｃに生じた弾性変形（つまりは図４Ｂ中に矢印で示す応力）の密着面領域（１３０ａ，１３０ｂ）への伝達が低減される。すなわち、被押圧領域１３０ｃに生じた弾性変形（応力）が密着面領域に影響を及ぼすことによって密着面領域が表示窓部材１１１の内面１１１ｂや表示素子１３１の表示面１３１ａから剥がれ、視認性が低下することを回避する。
【００４８】
以上説明したように、本実施例によれば、良好な視認性と高い防滴・防塵性能を有し、構成部品が少ない表示部を備えたカメラを実現することができる。
【実施例２】
【００４９】
図５Ａ及び図５Ｂには、本発明の実施例２である電子機器の表示部の構成を示す。なお、本実施例の表示部は、実施例１で説明したカメラにおいて用いられる。
【００５０】
本実施例の表示部の基本的な構成は、実施例１と同じであるので、実施例１と同じ又は共通する機能を有する構成要素には、実施例１と同符号を付す。
【００５１】
本実施例では、透明弾性部材１３０における密着面領域（１３０ａ，１３０ｂ）とそれよりも外周側に形成された被押圧領域１３０ｃとの間に、段差形状部１３０ｅが設けられている。段差形状部１３０ｅは、密着面領域を囲むように全周にわたって、かつ表示窓密着面１３０ａの側と表示素子密着面１３０ｂの側の両側に形成されている。
【００５２】
被押圧領域１３０ｃは、図５Ｂに示すように、背面外装部材１１０に形成された防滴リブ部１１０ａと表示素子保持部材１３２に形成された防滴リブ部１３２ａとの間で積層方向に押圧されて弾性変形状態となっている。なお、段差形状部１３０ｅを設けたことで、本実施例における被押圧領域１３０ｃの厚さは、実施例１に比べて薄くなっている。それ以外の構成は、実施例１と同じである。
【００５３】
本実施例でも、背面外装部材１１０の防滴リブ部１１０ａと弾性変形状態の被押圧領域１３０ｃとの押圧密着によって、外部から背面外装部材１１０と表示窓部材１１１間の隙間に侵入した水滴１４０や塵が、それ以上カメラ１００の内部に侵入するのを防止する。
【００５４】
また、表示素子保持部材１３２の防滴リブ１３２ａと透明弾性部材１３０の被押圧領域１３０ｃとの押圧密着によって、透明弾性部材１３０と表示素子保持部材１３２とにより囲まれて表示素子１３１を収容する空間を防滴・防塵空間として形成する。したがって、表示素子１３１に対しては二重の防滴・防塵構造を実現することができる。
【００５５】
なお、透明弾性部材１３０の表示窓密着面１３０ａが表示窓部材１１１の内面１１１ｂに密着することで、これらの間に水滴１４０等が侵入することも防止できる。
【００５６】
以上の構成により、本来視認性向上のために用いる透明弾性部材１３０を利用して、表示部における高い防滴・防塵性能を得ることができる。
【００５７】
さらに、本実施例では、段差形状部１３０ｅを設けることによって、被押圧領域１３０ｃに生じた弾性変形（つまりは図５Ｂ中に矢印で示す応力）の密着面領域（１３０ａ，１３０ｂ）への伝達が低減される。すなわち、被押圧領域１３０ｃに生じた弾性変形（応力）が密着面領域に影響を及ぼすことによって密着面領域が表示窓部材１１１の内面１１１ｂや表示素子１３１の表示面１３１ａから剥がれ、視認性が低下することを回避する。
【００５８】
したがって、本実施例によれば、良好な視認性と高い防滴・防塵性能を有し、構成部品が少ない表示部を備えたカメラを実現することができる。
【実施例３】
【００５９】
図６Ａ及び図６Ｂには、本発明の実施例３である電子機器の表示部の構成を示す。なお、本実施例の表示部は、実施例１で説明したカメラにおいて用いられる。
【００６０】
本実施例の表示部の基本的な構成は、実施例１と同じであるので、実施例１と同じ又は共通する機能を有する構成要素には、実施例１と同符号を付す。
【００６１】
本実施例では、透明弾性部材１３０における密着面領域（１３０ａ，１３０ｂ）とそれよりも外周側に形成された被押圧領域１３０ｃとの間に、段差／溝形状部１３０ｆが設けられている。段差／溝形状部１３０ｆは、実施例２に示した段差形状部に、実施例１で示した溝形状を追加することで構成されている。段差／溝形状部１３０ｆは、密着面領域を囲むように全周にわたって、かつ表示窓密着面１３０ａの側と表示素子密着面１３０ｂの側の両側に形成されている。
【００６２】
被押圧領域１３０ｃは、図６Ｂに示すように、背面外装部材１１０に形成された防滴リブ部１１０ａと表示素子保持部材１３２に形成された防滴リブ部１３２ａとの間で積層方向に押圧されて弾性変形状態となっている。なお、段差／溝形状部１３０ｆを設けたことで、本実施例における被押圧領域１３０ｃの厚さは、実施例１に比べて薄くなっている。それ以外の構成は、実施例１と同じである。
【００６３】
本実施例でも、背面外装部材１１０の防滴リブ部１１０ａと弾性変形状態の被押圧領域１３０ｃとの押圧密着によって、外部から背面外装部材１１０と表示窓部材１１１間の隙間に侵入した水滴１４０や塵が、それ以上カメラ１００の内部に侵入するのを防止する。
【００６４】
また、表示素子保持部材１３２の防滴リブ１３２ａと透明弾性部材１３０の被押圧領域１３０ｃとの押圧密着によって、透明弾性部材１３０と表示素子保持部材１３２とにより囲まれて表示素子１３１を収容する空間を防滴・防塵空間として形成する。したがって、表示素子１３１に対しては二重の防滴・防塵構造を実現することができる。
【００６５】
なお、透明弾性部材１３０の表示窓密着面１３０ａが表示窓部材１１１の内面１１１ｂに密着することで、これらの間に水滴１４０等が侵入することも防止できる。
【００６６】
以上の構成により、本来視認性向上のために用いる透明弾性部材１３０を利用して、表示部における高い防滴・防塵性能を得ることができる。
【００６７】
さらに、本実施例では、段差／溝形状部１３０ｆを設けることによって、被押圧領域１３０ｃに生じた弾性変形（つまりは図６Ｂ中に矢印で示す応力）の密着面領域（１３０ａ，１３０ｂ）への伝達が低減される。すなわち、被押圧領域１３０ｃに生じた弾性変形（応力）が密着面領域に影響を及ぼすことによって密着面領域が表示窓部材１１１の内面１１１ｂや表示素子１３１の表示面１３１ａから剥がれ、視認性が低下することを回避する。
【００６８】
したがって、本実施例によれば、良好な視認性と高い防滴・防塵性能を有し、構成部品が少ない表示部を備えたカメラを実現することができる。
【００６９】
以上説明した各実施例は代表的な例にすぎず、本発明の実施に際しては、各実施例に対して種々の変形や変更が可能である。
【００７０】
例えば、上記各実施例では、溝形状部１３０ｄ、段差形状部１３０ｅ及び段差／溝形状部１３０ｆを透明弾性部材１３０の両密着面（１３０ａ，１３０ｂ）側に形成した場合について説明したが、いずれか一方の密着面側にのみ形成してもよい。
【００７１】
また、透明弾性部材における密着面領域と被押圧領域との間に形成する形状は、上記各実施例で説明した溝形状や段差形状に限らず、被押圧領域の弾性変形（応力）の密着面領域への伝達を低減する形状であれば、どのようなものでもよい。
【００７２】
さらに、上記各実施例では、表示部を有する一眼レフデジタルカメラについて説明したが、本発明は、コンパクトデジタルカメラ、ビデオカメラといった撮像装置をはじめ、携帯電話、携帯端末、携帯テレビ等の撮像装置以外の電子機器にも適用することができる。
【図面の簡単な説明】
【００７３】
【図１】本発明の実施例１〜３であるデジタルカメラの正面外観図。
【図２】実施例１〜３のデジタルカメラの背面外観図。
【図３Ａ】実施例１の表示部の構成を示す分解斜視図。
【図３Ｂ】実施例１の表示部の構成を示す図３Ａとは別の方向から見た分解斜視図。
【図４Ａ】実施例１の表示部の構成を示す断面図。
【図４Ｂ】図４Ａの一部を拡大した断面図。
【図５Ａ】実施例２の表示部の構成を示す断面図。
【図５Ｂ】図５Ａの一部を拡大した断面図。
【図６Ａ】実施例３の表示部の構成を示す断面図。
【図６Ｂ】図６Ａの一部を拡大した断面図。
【符号の説明】
【００７４】
１００  デジタルカメラ
１１０  背面外装部材
１１１  表示窓部材
１３０  透明弾性部材
１３０ａ、１３０ｂ  密着面
１３０ｃ  被押圧領域
１３０ｄ  溝形状部
１３０ｅ  段差形状部
１３０ｆ  段差／溝形状部
１３１  表示素子
１３２  表示素子保持部材
１４０  水滴
【図１】
0005241201.tif 000002
【図２】
0005241201.tif 000003
【図３Ａ】
0005241201.tif 000004
【図３Ｂ】
0005241201.tif 000005
【図４Ａ】
0005241201.tif 000006
【図４Ｂ】
0005241201.tif 000007
【図５Ａ】
0005241201.tif 000008
【図５Ｂ】
0005241201.tif 000009
【図６Ａ】
0005241201.tif 000010
【図６Ｂ】
0005241201.tif 000011